(57)【特許請求の範囲】
【請求項１】
複数の首付きびんを収容するラップアラウンドキャリヤーであって、
トップパネルおよび底部パネルに折り曲げられる様に接続された、対向するサイドパネルと、びんの首がその中を通って伸びる複数の開口部であって、各々、隣接するサイドパネル中に伸びているとともに、対向する横縁部を有しているものと、
折り線により開口部の各横縁部に接続された、内側に折り曲げられた首保持タブと、
を具備しており、
各開口部の保持タブは、それに関連するびん首の対向表面に接触して、びん首を所定の位置に保持し、
各サイドパネルは、上側サイドパネル部分および主要サイドパネル部分を含み、各上側サイドパネル部分は、折り線によりトップパネルに接続されているとともに、トップパネルおよび主要サイドパネル部分と角度を形成しており、
びん首保持タブを開口部の横縁部に接続している折り線は、上側サイドパネル部分中に位置し、且つ、
びん首保持タブは、保持タブを開口部の横縁部に接続している折り線と反対側の一方の縁部と、一方の縁部と接続しており且つ関連するサイドパネルに面した他方の縁部と、上側サイドパネル部分をトップパネルに接続している折り線から、一方の縁部および他方の縁部が交差する点まで延びる、斜めの折り線とを含む、
ラップアラウンドキャリヤー。
【請求項２】
各サイドパネルにおいて、主要サイドパネル部分が上側サイドパネル部分に隣接し、開口部は、トップパネルから、隣接する上側サイドパネル部分を通り、主要サイドパネル部分中に伸びており、そして、びんの首は、開口部を通って伸びるとともに、各開口部の保持タブは、それに関連するびん首の対向表面に接触する、請求項１のラップアラウンドキャリヤー。
【請求項３】
各上側サイドパネル部分が、折り線により関連する主要サイドパネル部分に接続された面取りパネルから成っている、請求項１のラップアラウンドキャリヤー。
【請求項４】
底部パネルに隣接するサイドパネル中の脚部開口部であって、各々、対向する縁部を有しており且つびんの反対側に位置するものと、折り線により脚部開口部の各対向縁部に接続された脚部保持タブであって、びんの対向側面に接触するものとを備えている、請求項１のラップアラウンドキャリヤー。
【請求項５】
各脚部保持タブが、中央折り線により下側区域に接続され、下側区域は、折り線により底部パネルに接続されているとともに、関連するびんの底部と底部パネルとの間に位置する、請求項４のラップアラウンドキャリヤー。
【請求項６】
各サイドパネルにおいて、主要サイドパネル部分が上側サイドパネル部分に隣接し、開口部が、トップパネルから、隣接する上側サイドパネル部分を通り、主要サイドパネル部分中に延びている、請求項１のラップアラウンドキャリヤー。
【請求項７】
首付きびんの包装に使用するラップアラウンドキャリヤーを形成するための、実質的に長方形のラップアラウンドキャリヤーブランクであって、
中央に位置するトップパネル区域と、
折り線に沿ってトップパネル区域の両側に接続されたサイドパネル区域と、
ブランクから形成されるキャリヤーの底部パネルを形成するための、サイドパネル区域に接続された底部パネルフラップと、
ブランクから形成されたキャリヤー中に包装されたびんの首が中を通って伸び、おのおの隣接するサイドパネル区域中に伸びるとともに、対向する横縁部を有する複数の開口部と、
折り線により開口部の各横縁部に接続されたびん首保持タブと、
を具備しており、
各開口部の保持タブは、ブランクから形成されたキャリヤーの内側に折り込まれた時に、関連するびんの対向表面と接触して、びんを所定の位置に保持し、
各サイドパネル区域は、上側サイドパネル部分および主要サイドパネル部分を含み、各上側サイドパネル部分は、折り線によりトップパネル区域に接続されており、
びん首保持タブを開口部の横縁部に接続している折り線は、上側サイドパネル部分中に位置し、且つ、
びん首保持タブは、保持タブを開口部の横縁部に接続している折り線と反対側の一方の縁部と、一方の縁部と接続しており且つ関連するサイドパネル区域に面した他方の縁部と、上側サイドパネル部分をトップパネル区域に接続している折り線から、一方の縁部および他方の縁部が交差する点まで延びる、斜めの折り線とを含む、ラップアラウンドキャリヤーブランク。
【請求項８】
主要サイドパネル部分は、それぞれ、折り線により底部パネルフラップに接続されており、各サイドパネルにおいて、主要サイドパネル部分が上側サイドパネル部分に隣接し、開口部は、トップパネル区域から、隣接する上側サイドパネル部分を通り、主要サイドパネル部分中に延びている、請求項７のラップアラウンドキャリヤーブランク。
【請求項９】
各上側サイドパネル部分が、折り線により関連する主要サイドパネル部分に接続された面取りパネルから成っている、請求項７のラップアラウンドキャリヤーブランク。
【請求項１０】
底部パネルフラップに隣接するサイドパネル区域中の脚部開口部であって、各々、対向する縁部を有しているとともに、ブランクから形成されたキャリヤー中のびんの反対側に位置するものと、折り線により脚部開口部の各対向縁部に接続された脚部保持タブであって、ブランクから形成されたキャリヤー中の関連するびんの対向側面に接触するものとを備えている、請求項７のラップアラウンドキャリヤーブランク。
【請求項１１】
各脚部保持タブが、中央折り線により外側区域に接続され、外側区域は、折り線により関連する底部パネルフラップに接続されているとともに、ブランクから形成されたキャリヤー中の関連するびんの底部と底部パネルフラップとの間の位置に折り曲げられる、請求項１０のラップアラウンドキャリヤーブランク。
【請求項１２】
各サイドパネルにおいて、主要サイドパネル部分が上側サイドパネル部分に隣接し、開口部が、トップパネル区域から、隣接する上側サイドパネル部分を通り、主要サイドパネル部分中に延びている、請求項７のラップアラウンドキャリヤー。
【請求項１３】
保持タブの他方の縁部が、関連する一方の縁部と鈍角を形成する、請求項７のラップアラウンドキャリヤーブランク。
【発明の詳細な説明】
発明の分野
本発明は、包装されたびんの首が通って伸びる開口部を含むラップアラウンドキャリヤーに関する。より詳しくは、本発明は、この種の、キャリヤー中のびんを固定する保持手段をさらに備えたラップアラウンドキャリヤーに関する。
発明の背景
ラップアラウンドボトルキャリヤーは、輸送および荷扱いの際に、包装されたびんがキャリヤーの開いた末端に向けて移動するのを防止するために、びんを所定の位置に保持する様に設計しなければならない。通常、びんの首は、トップパネルの、びんの上側部分の運動を制限するびん首開口部を通って上に伸び、一方、びんの外側脚部はサイドパネルの切取り部を通して伸び、びんの底部を所定の位置に保持する。その様なキャリヤーは効果的ではあるが、びんの運動を、特にびんの首を安定化させるために、さらに制限するのが望ましい場合がある。一般的にトップパネルのびん首開口部は、びんの本質的に縦方向の運動を阻止する様な寸法を有するが、極めて強い力がかかった場合に、ある角度でびんの首が横滑りするのを防止する程十分に小さくはない。このことは、多数のびんを包装するのに使用するラップアラウンドキャリヤーで明らかである。例えば、１２本のびんをそれぞれ６本ずつ２列に保持するために十分に長いラップアラウンドキャリヤーを製造した場合、持ち上げる、および搬送する時に、びんがキャリヤーの末端から外に移動しようとする傾向があるために、運動をより大幅に制限する必要がある。
キャリヤー内の運動を阻止するために、びんをより堅くつかむ様に提案された方法では、脚部の切取り部にタブまたはフラップを備える。これらの保持タブは、脚部の切取り部の対向する縁部に接続され、びんの底部の運動を拘束する。これでも、上記の様にびんの上部が過度に移動するのを阻止することはできない。この問題の少なくとも一部は、びんの首とびん首開口部の間がゆるいために生ずるものであるが、開口部は、包装作業の際にびんの首を容易に受け入れるために、ある程度大きくしておかなければならないので、この問題は多くの場合避けられない。
そこで、本発明の主目的は、改良されたびん首保持手段を有するラップアラウンドボトルキャリヤーを提供することである。もう一つの目的は、基本的なキャリヤー設計に、包装機械を通すのがより困難になる、またはより経費がかかる様な修正を加えずに、その様な手段を提供することである。
発明の概要
本発明では、複数の首付きびんを含むラップアラウンドキャリヤー中の開口部が、キャリヤーのサイドパネルの中に伸びており、びん首保持タブが折線により開口部の対向する横縁部に接続されている。保持タブはキャリヤーの内側に折り込まれ、関連するびん首の対向する表面に接触し、びん首を所定の位置に保持する。
各サイドパネルは上側部分および主要部分を有し、各上側サイドパネル部分は折線によりトップパネルに接続し、トップパネルおよび主要サイドパネル部分の両方に対して、ある角度を形成する。びん首開口部は、トップパネルから、隣接する上側サイドパネル部分を通って主要サイドパネル部分の中に伸び、保持タブは、上側サイドパネル部分中のびん首開口部に接続している。好ましい配置では、上側サイドパネル部分は面取りパネルを含む。
びんの安定性をさらに改良するために、サイドパネルに、脚部保持タブが接続している脚部開口部を備えることができる。脚部保持タブは、関連するびんに接触し、びんの対向する側面に向かって偏っている。
保持タブは、包装されたびんが包装物の末端に向かって移動するのを阻止し、キャリヤーブランクの原価またはブランクからキャリヤーを形成する経費が増加しない様な設計で取り入れられている。
本発明の、上記のおよび他の特徴および利点を、以下に本発明の好ましい実施態様により、さらに詳細に説明する。
【図面の簡単な説明】
図１は、本発明のラップアラウンドキャリヤーを示す図である。
図２は、図１のラップアラウンドキャリヤーの拡大した末端図である。
図３は、図１の線３−３に沿って見た拡大断面図である。
図４は、図１のキャリヤーを形成するブランクの平面図である。
図５は、一群のびんの周りに折り曲げ、ラップアラウンドキャリヤー包装物を形成する位置にあるブランクの末端図である。
図６は、図５に示すブランクの一部の平面図である。
図７は、キャリヤー形成工程中に、中間位置に折り曲げたブランクの末端図である。
図８は、図７の中間位置に対応するブランクの部分図である。
図９は、図４のブランクから形成されたキャリヤーの下側末端の部分図である。
図１０は、別の面取りパネルを含まないキャリヤーの部分末端図である。
好ましい実施態様の詳細な説明
図１に関して、ラップアラウンドキャリヤー１０を、底パネル１２の上に支持された、６本ずつ２列に配置された１２本の飲料びんＢと共に示す。サイドパネル１４は、底パネル１２を形成する底パネルフラップ１６および１８、および傾斜の付いた面取りまたは肩パネル２０に接続されている。面取りパネル２０は、キャリヤーを持ち上げるための指開口部２４を含むトップパネル２２に接続されている。びんの首は、トップおよびサイドパネル２２および１４の一部に設けられ、面取りパネル２０を横切る開口部２６を通って上に伸びている。
サイドパネル中の切取り部２８はびんの突き出た脚部を受け入れ、下側縁部に垂直のスリットを含むことができるタブ３０は、サイドパネル１４から下方に伸び、びんの外側脚部と接触する。さらに、びんの底部の運動を抑えるために、図１にその一つを示す脚部保持タブ３２を備えることができる。無論、脚部保持タブの機能は、非常に安定した包装物を与える観点からは望ましいが、本発明のびん首保持タブの作用とは別であり、その作用に影響を与えるものではない。図２および３から分かる様に、びん首保持タブ３４はびん首開口部２６の対向する縁部に接続している。これらのタブは折り曲げられる様にキャリヤーに接続されており、びん首に対して偏らせる力を加え、びんの上側部分の運動を阻止する。
次に、図１、２および３で使用した番号と類似の番号は類似の部品を示す図４に関して、図１のキャリヤーに加工できるブランク３６は、両側で折線３８により面取りまたは肩パネル区域２０に接続した中央トップパネル区域２２を含む。折線４０は面取りパネル区域２０をサイドパネル区域２２に接続し、サイドパネル区域は折線４２により底部パネルフラップ１６および１８に接続されている。折線３８および４０はびん首開口部２６により中断され、折線４２は脚部の切取り部２８により中断されている。底部パネルフラップ１６には、一次雄ロッキングタブ４８を形成するスリット４６により中断される折線４４が含まれる。二次雄ロッキングタブ５０は、折線４４により底部パネルフラップ１６に接続されている。底部パネルフラップ１８は、一次雄ロッキングタブ４８と噛み合うための一次雄ロッキングエッジおよび二次雄ロッキングタブ５０を受け入れるためのスリット５４を含む切取り部５２を含む。これらの様々なロッキング部品は、本発明のキャリヤーと共に使用するのに適した代表的な底部パネルロッキング機構を例示するものであるが、無論、あらゆる有効な形態の底部パネルロッキング手段を採用することができる。
さらに図４に関して、びん首保持タブ３４はすべて同等であり、折線５６により、面取りパネル２０を通って伸びるびん首開口部２６の縁部に接続しているのに対して、中央トップパネル区域にあるタブ３４の縁部はスリット５８によりトップパネル区域から分離されている。さらに、各保持タブは、折り線３８から、保持タブの縁部６４および６６が交差する点６２に斜めに伸びる折り線６０を含む。縁部６４は、好ましくは縁部６６と鈍角を形成する。脚部の切取り部２８と関連する保持タブ３２も同等であり、折り線６８に沿ってサイドパネル区域１４に、および折り線７０に沿って底部パネルフラップ１６および１８に接続している。各脚部切取り部の脚部保持タブは、スリット７２により互いに分離され、それぞれ折り線７４を含む。
キャリヤーブランクから包装物を形成するには、びんを２列に配置し、ブランクを下降させ、びん首がびん首開口部を通って伸びる様に、ブランクを所定の位置に移動させる。ブランクの下降移動は、首の直径がびん首開口部を最早通らなくなる大きさの地点でびん首上に載った時に停止する。この点におけるブランクおよびびんを図５および６に示す。２列のびんは、びん首ＢＮが、びん首開口部の保持タブ３４の外側に位置する部分と整列する様に、分離して配置しておくことに注意する。
次いで、ブランクを折り線４０に沿って折り下げ、サイドパネルを下方に回転させ、同時にびん同士を一つに引き寄せる。この形成工程の代表的な段階を図７および８に示す。この時点におけるトップパネルは、形成工程の開始時におけるよりもびん上で高い所にあり、包装物が形成される際にキャリヤーブランクが上方に屈曲することを示している。これは下記の様にして起こる。ブランクを最初にびん上の所定の位置に置いた時、びん首切取り部２６の内側および外側縁部は本質的に同じ平面内にある。びんの列同士を互いの方に引き寄せ、サイドパネルを下方に折り曲げる際に、切取り部の外側縁部がびん首を、切取り部の内側縁部よりも低い位置に滑り降りる。同時に、びんの互いの方に向かう運動により、保持タブ３４の角６２に力が作用する。これによって保持タブが、それらの降り線５６に沿って下方に屈曲する。これらの様々な運動が続き、びん首が下方に旋回していく保持タブの表面区域と噛み合う程度が大きくなるにつれて、切取り部の外側縁部がある垂直面が、切取り部の内側縁部がある垂直面に近づいて行く。これらのサイドパネル区域、びん首切取り部およびトップパネル区域間の相対的な運動を相殺するために、ブランクの、びんの列同士の間の部分が上に向けて屈曲し、びん首切取り部の内側縁部がびん首上を滑り上がる。
びんの列が最終的な接触位置に移動した時、保持タブ３４は図２および３に示す位置に折り曲げられている。降り目５６により生じる偏りのために各対の保持タブはそれらの本来の位置に戻ろうとし、各びん首で対向するタブがびん首を所定の位置に堅く保持し、びんの安定性および包装物の一体性を維持する。包装物形成工程で、タブ中の降り線６０により、タブは、必要に応じて屈曲し、びん首の輪郭により十分に接触する様になる。保持タブの縁部６４および６６から形成される鈍角により、キャリヤーの形成が進行する際に、タブの角度６２は関連するびん首を容易に滑り降りる。
びんをそれらの底部ならびにそれらの首部で所定の位置に固定するために、下側保持タブ３２も備えるのが好ましい。ブランクを降り下げる間に、保持タブ３２は、各タブ対が関連するびんの対向側面上に位置する様に折り込まれる。次いで、フラップをびんの周りにきつく引っ張り、ロッキングタブにより底部パネルフラップ同士を合わせて固定し、底部パネル１２を形成する。下側保持タブは、ある角度を有する折り線６８および７０に沿って折り曲げられるので、タブをそれらの本来の位置に戻そうとする偏りが生じる。これによってタブは隣接するびんに対して一定した圧力を維持し、びんを所定の位置に保持し易くする。
保持タブ３２がそれらの折り線６８および７０に沿って折り曲げられる時、タブの、折り線７０とスリット７２の間の、番号７６で示す部分が折り線７４に沿って回転し、底部パネルフラップ５２に対して平らな位置に移動する。この配置を図９に示す。このタブの蝶番運動が起こると、タブ区域７６は隣接するびんの下に移動するので、びんはこれらの区域の上ならびに底部パネルの上に載る。区域７６上のびんの重量は、保持タブの側方部分をびんから引き離そうとする力に対して、タブをその偏った位置にしっかりと保持する。
キャリヤーの、びん首保持タブが接続している部分を面取りパネル２０で示しているが、無論、対応する構造を与えさえすれば、面取りパネルは不可欠ではない。例えば、図１０に示す様に、サイドパネルをトップパネルに直接接続し、サイドパネルのたわみ性によりびんの輪郭にしたがわせることができる。その様な場合、サイドパネルは、面取りパネルの機能を果たし、びん首保持タブが接続している上側部分、および図１０に示すサイドパネルの垂直部分に相当する主要部分を含んでなると言える。いずれの場合も、びん首保持タブは、保持タブが関連するびん首の対向側面に接触する位置にあるためには、ある角度で水平なトップパネルおよび垂直なサイドパネルの両方に向かって伸びる位置でキャリヤーに接続される。
キャリヤーは、最終形状に折り曲げ、タブ折り線に必要な偏り特性を与えることができる、十分なたわみ性を有する材料から形成する。キャリヤー業界で一般的に使用されている種類の厚紙が、経済的であり、容易に折り曲げることができ、その繊維質により、保持フラップ折り線を包装物の内側に十分に偏らせることができるので好ましい。無論、シート材料の厚さを示すために、図面では、包装材料の厚さを幾分誇張してある。
以上、本発明により、ラップアラウンドキャリヤーにおける改良された製品保持手段が、経済的に有効な様式で提供されることは明らかである。保持タブにより、ラップアラウンドキャリヤーの、包装されたびんがキャリヤーの末端に向かって移動するのを阻止する能力が大幅に改良されるので、搬送中にびんに作用する外向きの圧力により末端のびんが包装物から押し出される恐れなしに、多数のびんを包装するための長いキャリヤーを得ることができる。びん首を安定化させる能力は、その様な包装物を形成する上で最も重要なことである。びん首保持タブは、それらのびん首を保持する第一の機能に加えて、刻み目線３８および４０がびん首開口部の縁部と突き当たる点における引裂きを防止し、キャリヤーを持ち上げ、搬送する際に、これらの危険な点における応力を緩和するのに役立つ。
当業者には明らかな様に、本発明は、好ましい実施態様に関して説明したすべての具体的な細部に限定されるものではなく、付随する請求項に規定する本発明の精神および範囲からそれることなく、好ましい実施態様のある種の特徴に、本発明の全体的な基本機能および概念を変えない様な変形を加えることができる。
【図１】
0003808503.tif 000002
【図５】
0003808503.tif 000003
【図２】
0003808503.tif 000004
【図３】
0003808503.tif 000005
【図７】
0003808503.tif 000006
【図４】
0003808503.tif 000007
【図６】
0003808503.tif 000008
【図８】
0003808503.tif 000009
【図９】
0003808503.tif 000010
【図１０】
0003808503.tif 000011